【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
入力されたデータに基づいて取引を処理する取引処理手段と、
前記取引処理手段が行った取引の終了時に、この取引にかかる各種媒体を順番に放出する媒体放出手段と、
前記媒体放出手段により放出された媒体毎に、その媒体が本体から抜き取られたかどうかを検知する抜取検知手段と、
本体を操作している操作者の有無を検知する操作者検知手段と、
前記媒体放出手段により放出されていない未放出の媒体があるときに、前記操作者検知手段により本体を操作している操作者が検知されなくなった場合、前記媒体放出手段に対して未放出の媒体の放出を制限する放出制限手段と、を備え、
前記媒体放出手段は、先に放出した媒体が、前記抜取検知手段により本体から抜き取られたことが検知された後に、未放出の媒体があれば、前記順番に基づいて次の媒体を放出する手段である、
取引処理装置。
【請求項２】
前記媒体放出手段により放出されていない未放出の媒体があるときに、前記操作者検知手段により本体を操作している操作者が検知されなくなった場合、媒体の取り忘れを報知する報知手段を備えた、
請求項１に記載の取引処理装置。
【請求項３】
前記放出制限手段が前記媒体放出手段に対して未放出の媒体の放出を制限した後、所定時間内に前記操作者検知手段により操作者が検知された場合、今回検知された操作者に対して予め定めた種類の特定情報の入力を要求し、ここで入力された特定情報に基づいて、この操作者が前記未放出の媒体を受け取るべき操作者であるかどうかを判定する判定手段を備え、
前記放出制限手段は、前記判定手段が前記未放出の媒体を受け取るべき操作者であると判定した場合に、前記媒体放出手段に対する未放出の媒体の放出制限を解除する手段である、
請求項１または２に記載の取引処理装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（１）入力されたデータに基づいて取引を処理する取引処理手段と、
前記取引処理手段が行った取引の終了時に、この取引にかかる各種媒体を順番に放出する媒体放出手段と、
前記媒体放出手段により放出された媒体毎に、その媒体が本体から抜き取られたかどうかを検知する抜取検知手段と、
本体を操作している操作者の有無を検知する操作者検知手段と、
前記媒体放出手段により放出されていない未放出の媒体があるときに、前記操作者検知手段により本体を操作している操作者が検知されなくなった場合、前記媒体放出手段に対して未放出の媒体の放出を制限する放出制限手段と、を備え、
前記媒体放出手段は、先に放出した媒体が、前記抜取検知手段により本体から抜き取られたことが検知された後に、未放出の媒体があれば、前記順番に基づいて次の媒体を放出する手段である。
【手続補正５】
【補正対象書類名】明細書
【補正対象項目名】００１０
【補正方法】変更
【補正の内容】
【００１０】
この構成では、取引の終了時に、この取引にかかる各種媒体が、順番に放出される。また、先に放出した媒体が本体から抜き取られるのを待って、すなわち利用者が先に放出した媒体を受け取るのを待って、次の媒体を放出する。したがって、取引の終了時に放出された媒体が、利用者以外の者に詐取される危険性が低減できる。また、利用者が、取引の終了時に放出される各種媒体の受け取りにまごついて、慌てるような事態になるのを防止でき、使い勝手の向上が図れる。しかも、本体を操作している操作者、すなわち取引処理を行った利用者、が本体から離れると、未放出の媒体があっても、この未放出の媒体の放出を制限する。したがって、利用者が媒体の受け取りを忘れても、この受け取りを忘れた媒体が、他人に詐取されるという事態の発生も略確実に防止できる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
（２）前記媒体放出手段により放出されていない未放出の媒体があるときに、前記操作者検知手段により本体を操作している操作者が検知されなくなった場合、媒体の取り忘れを報知する報知手段を備えている。
【手続補正１５】
【補正対象書類名】明細書
【補正対象項目名】００２１
【補正方法】変更
【補正の内容】
【００２１】
（３）前記放出制限手段が前記媒体放出手段に対して未放出の媒体の放出を制限した後、所定時間内に前記操作者検知手段により操作者が検知された場合、今回検知された操作者に対して予め定めた種類の特定情報の入力を要求し、ここで入力された特定情報に基づいて、この操作者が前記未放出の媒体を受け取るべき操作者であるかどうかを判定する判定手段を備え、
前記放出制限手段は、前記判定手段が前記未放出の媒体を受け取るべき操作者であると判定した場合に、前記媒体放出手段に対する未放出の媒体の放出制限を解除する手段である。
【手続補正１６】
【補正対象書類名】明細書
【補正対象項目名】００４４
【補正方法】変更
【補正の内容】
【００４４】
また、上記実施形態のＡＴＭ１では、取引の終了時に、カード、通帳、伝票、出金硬貨、出金紙幣等の各種媒体を、一定時間毎に１つずつ放出するとしたが図３におけるｓ１０、ｓ１３、ｓ１６、およびｓ１９にかかる処理を、図４に示すように、先に放出した媒体が抜き取られるのを待つ処理（ｓ３１、ｓ３２、ｓ３３、およびｓ３４）に置き換えてもよい。この場合、ｓ２２にかかる処理は、実質的には、紙幣の抜取を検知する処理（ｓ３５）になる。また、ｓ２０で紙幣の放出が不要であると判定したときには、本処理を終了する。
【手続補正１７】
【補正対象書類名】明細書
【補正対象項目名】００５３
【補正方法】変更
【補正の内容】
【００５３】
この時点では、どの媒体も放出していないので、ｓ４１で放出すると判断した全ての媒体の中から、最初に放出する媒体の選択を受け付ける画面を表示器８ａに表示する。図７（Ａ）は、ｓ４１でカード、通帳、出金硬貨、および出金紙幣を放出すると判断した場合の画面例であり、図７（Ｂ）は、ｓ４１でカード、伝票、出金硬貨、および出金紙幣を放出すると判断した場合の画面例である。ＡＴＭ１は、表示器８ａに表示されている媒体の中で、次に放出する媒体を利用者に押下させ、利用者が押下した媒体をタッチパネル８ｂで検知する。
【手続補正１８】
【補正対象書類名】明細書
【補正対象項目名】００５４
【補正方法】変更
【補正の内容】
【００５４】
ＡＴＭ１は、次に放出する媒体の選択を受け付けると、選択された媒体を放出する（ｓ４５）。例えば、選択された媒体がカードであれば、カードをカード挿入口３ａから放出する。ＡＴＭ１は、ｓ４５で媒体を放出すると、利用者が今回放出した媒体を抜き取るのを待つ（ｓ４６）。ＡＴＭ１は、今回放出した媒体が抜き取られると、この時点で未放出の媒体があるかどうかを判定する（ｓ４７）。ｓ４７では、ｓ４１で放出すると判断した媒体を、全て放出したかどうかを判断している。ＡＴＭ１は、ｓ４７で未放出の媒体があると判定すると、ｓ４３に戻り、この時点で未放出である媒体の中から、次に放出する媒体の選択を受け付ける。例えば、図７（Ａ）に示す画面で、利用者がカードを選択し、放出されたカードを抜き取ったときには、図８（Ａ）に示す画面を表示器８ａに表示し、次に放出する媒体の選択を受け付ける。ＡＴＭ１は、ｓ４７で未放出の媒体が無いと判定するまで、ｓ４３〜ｓ４７の処理を繰り返す。図８（Ｂ）は、図８（Ａ）に示す画面で、利用者が通帳を選択し、放出された通帳を抜き取ったときに表示器８ａに表示される画面例を示しており、図８（Ｃ）は、図８（Ｂ）に示す画面で、利用者が硬貨を選択し、放出された硬貨を抜き取ったときに表示器８ａに表示される画面例を示している。
【手続補正１９】
【補正対象書類名】明細書
【補正対象項目名】００６６
【補正方法】変更
【補正の内容】
【００６６】
１−ＡＴＭ
２−制御部
３−カード処理部
４−通帳処理部
５−伝票発行部
６−紙幣処理部
７−硬貨処理部
８−操作部
９−利用者検知部